(57)【要約】【課題】書き込み可能な光学式記録媒体と記録フォーマット上の互換性を持つことができる再生専用の光学式記録媒体及びその記録装置を提供する。【解決手段】光学式記録媒体においては、各々が主データに対する誤り訂正の単位となるブロック分の主データを有しそのブロック分の主データを所定数に分割した主データ片毎に主データ用識別データが付加された構成を有する複数のデータブロック領域と、複数のデータブロック領域間に挿入された疑似データによるリンキング領域とがトラック上に備えられ、トラック間において隣接する疑似データの記録パターンが互いに異なる。【選択図】　図１
2004134049.tif 000002
【特許請求の範囲】
【請求項１】
データがトラックに予め記録された光学式記録媒体であって、
各々が主データに対する誤り訂正の単位となるブロック分の主データを有しそのブロック分の主データを所定数に分割した主データ片毎に主データ用識別データが付加された構成を有する複数のデータブロック領域と、
前記複数のデータブロック領域間に挿入された疑似データによるリンキング領域とを前記トラック上に備え、
トラック間において隣接する前記疑似データの記録パターンが互いに異なることを特徴とする光学式記録媒体。
【請求項２】
前記疑似データは前記主データ片と同一長であり、前記リンキング領域は前記疑似データと共に前記疑似データに付加されたリンキング領域用識別データを有することを特徴とする請求項１記載の光学式記録媒体。
【請求項３】
前記リンキング領域毎に前記疑似データは隣接の前記データブロック領域のアドレスデータに基づいて乱数として生成され、そのアドレスデータと共に記録されることを特徴とする請求項１記載の光学式記録媒体。
【請求項４】
光学式記録媒体のトラック上にデータを記録する記録装置であって、
各々が主データに対する誤り訂正の単位となるブロック分の主データを有しそのブロック分の主データを所定数に分割した主データ片毎に主データ用識別データが付加された構成を有する複数のデータブロック領域を前記トラックに形成する主データ記録手段と、
前記複数のデータブロック領域間に疑似データによるリンキング領域を前記トラックに挿入形成するリンキングデータ記録手段と、を備え、
前記リンキングデータ記録手段は、トラック間において隣接する前記疑似データの記録パターンを互いに異なるパターンで形成することを特徴とする記録装置。
【請求項５】
前記リンキングデータ記録手段によって挿入形成される前記リンキング領域は、前記主データ片と同一長の前記疑似データと共に前記疑似データに付加されたリンキング領域用識別データを有することを特徴とする請求項４記載の記録装置。
【請求項６】
前記リンキングデータ記録手段は、前記疑似データを前記リンキング領域毎に乱数として生成する乱数発生器を有することを特徴とする請求項４記載の記録装置。
【請求項７】
前記リンキングデータ記録手段は、前記光学式記録媒体へのデータの記録開始時に乱数を初期値として生成する第１乱数発生器と、前記初期値に基づいて前記疑似データを前記リンキング領域毎に乱数として生成する第２乱数発生器と、を有することを特徴とする請求項４記載の記録装置。
【請求項８】
前記リンキングデータ記録手段は、前記リンキング領域毎に隣接の前記データブロック領域のアドレスデータに基づいて前記疑似データを乱数として生成する乱数発生器を有することを特徴とする請求項４記載の記録装置。
【請求項９】
前記リンキングデータ記録手段は、前記アドレスデータと前記アドレスデータに基づいた前記疑似データとを含む前記リンキング領域を形成することを特徴とする請求項８記載の記録装置。
【請求項１０】
前記リンキングデータ記録手段は、前記リンキング領域毎に乱数として生成する乱数発生器と、前記乱数と所定のスクランブル用データとに応じて前記リンキング領域毎に前記疑似データを生成するスクランブル回路と、を有することを特徴とする請求項４記載の記録装置。
【請求項１１】
前記スクランブル回路は排他的論理和回路であることを特徴とする請求項１０記載の記録装置。
【請求項１２】
光学式記録媒体のトラック上にデータを記録する記録方法であって、
各々が主データに対する誤り訂正の単位となるブロック分の主データを有しそのブロック分の主データを所定数に分割した主データ片毎に主データ用識別データが付加された構成を有する複数のデータブロック領域を前記トラックに形成し、
前記複数のデータブロック領域間に疑似データによるリンキング領域を前記トラックに挿入形成し、
トラック間において隣接する前記疑似データの記録パターンを互いに異なるパターンで形成することを特徴とする記録方法。
【発明の詳細な説明】
【０００１】
【発明が属する技術分野】
本発明は、光学式記録媒体及びその記録媒体を作成するための記録装置に関する。
【０００２】
【従来の技術】
ＤＶＤ−ＲやＤＶＤ−ＲＷ等の書き込み可能な光学式記録媒体においては、既に書き込みが行われた位置に続いて新たな情報データを書き込む場合があり、その繋ぎ部分にリンキング領域が生じる。リンキング領域にはその後のデータ領域の情報データの読み取りのための同期データが書き込まれる。
【０００３】
【発明が解決しようとする課題】
しかしながら、このように書き込み可能な記録媒体にリンキング領域ができることは、ＤＶＤ−ＲＯＭのような書き込みができない再生専用の記録媒体との記録フォーマット上の互換性が取れなくなる可能性があるという問題点があった。そこで、本発明の目的は、書き込み可能な光学式記録媒体と記録フォーマット上の互換性を持つことができる再生専用の光学式記録媒体及びその記録装置を提供することである。
【０００４】
【課題を解決するための手段】
本発明の光学式記録媒体は、データがトラックに予め記録された光学式記録媒体であって、各々が主データに対する誤り訂正の単位となるブロック分の主データを有しそのブロック分の主データを所定数に分割した主データ片毎に主データ用識別データが付加された構成を有する複数のデータブロック領域と、前記複数のデータブロック領域間に挿入された疑似データによるリンキング領域とを前記トラック上に備え、トラック間において隣接する前記疑似データの記録パターンが互いに異なることを特徴としている。
【０００５】
本発明の記録装置は、光学式記録媒体のトラック上にデータを記録する記録装置であって、各々が主データに対する誤り訂正の単位となるブロック分の主データを有しそのブロック分の主データを所定数に分割した主データ片毎に主データ用識別データが付加された構成を有する複数のデータブロック領域を前記トラックに形成する主データ記録手段と、前記複数のデータブロック領域間に疑似データによるリンキング領域を前記トラックに挿入形成するリンキングデータ記録手段と、を備え、前記リンキングデータ記録手段は、トラック間において隣接する前記疑似データの記録パターンを互いに異なるパターンで形成することを特徴としている。
【０００６】
本発明の記録方法は、光学式記録媒体のトラック上にデータを記録する記録方法であって、各々が主データに対する誤り訂正の単位となるブロック分の主データを有しそのブロック分の主データを所定数に分割した主データ片毎に主データ用識別データが付加された構成を有する複数のデータブロック領域を前記トラックに形成し、前記複数のデータブロック領域間に疑似データによるリンキング領域を前記トラックに挿入形成し、トラック間において隣接する前記疑似データの記録パターンを互いに異なるパターンで形成することを特徴としている。
【０００７】
【発明の実施の形態】
以下、本発明の実施例を図面を参照しつつ詳細に説明する。
図１は本発明による原盤記録装置を示している。この記録装置は例えば、ＤＶＤ−ＲＯＭ用の記録原盤１に情報を記録する装置であり、マスタクロック発生器１１、ＰＬＬ回路１２、記録信号発生回路１３、光変調器１４、記録アクチュエータ１５、スピンドルモータ１６、サーボコントローラ１７及びメインコントローラ１８を備えている。
【０００８】
マスタクロック発生器１１はマスタクロック信号を発生し、そのマスタクロック信号をＰＬＬ回路１２及びサーボコントローラ１７に供給する。サーボコントローラ１７にはマスタクロック信号が供給されると共にスピンドルモータ１６から回転周波数を示す周波数信号ＦＧが供給される。サーボコントローラ１７は周波数信号ＦＧがマスタクロック信号に同期するようにスピンドルモータ１６の回転制御、すなわちスピンドルサーボ制御を行う。
【０００９】
ＰＬＬ回路１２はマスタクロック信号に基づいて記録クロック信号を発生する。記録信号発生回路１３は、記録されるべき情報データ（主データ）及び情報データに対応したアドレスデータを出力するデータ発生部２０と、その情報データ及びアドレスデータに基づいてＥＣＣ（Ｅｒｒｏｒ　Ｃｏｒｒｅｃｔｉｏｎ　Ｃｏｄｅ）ブロックに適合したセクタデータとして出力するＥＣＣブロック化回路２１と、リンキング領域用の乱数データを生成する乱数発生器２２と、記録クロック信号に応じて１ＥＣＣブロック毎にタイミング信号を発生するタイミング回路２３と、ＥＣＣブロックの情報データと乱数データとをタイミング信号に応じて切り替えて出力する切替回路２４と、切替回路２４から出力されるデータに対して８−１６変調を施す変調器２５と、変調後のデータに１４Ｔの同期パターンを含む同期コードを付加して記録信号とする同期付加回路２６とを備えている。メインコントローラ１８は記録信号発生回路１３内の各部２０〜２６をＰＬＬ回路１２の出力クロックに同期して制御する。
【００１０】
光変調器１４は記録信号発生回路１３からの記録信号に応じてレーザ光を変調し、その変調したレーザ光を記録アクチュエータ１５に供給する。記録アクチュエータ１５はスピンドルモータ１６によって回転された記録原盤１の記録部にレーザ光を照射して露光を行う。
乱数発生器２２は、図２に示すように、メモリ３１と、１１個のＤフリップフロップ回路３２〜４２と、１個の加算器４４とからなる。メモリ３１は１１ビットの初期値を予め記憶しておりそれを原盤１への記録開始時にメインコントローラ１８からの指令に応答してＤフリップフロップ回路３２〜４２に出力する。Ｄフリップフロップ回路３２〜４２各々はプリセット入力を有し、そのプリセット入力にメモリ３１からの初期値の各対応ビットが供給される。また、Ｄフリップフロップ回路３２〜４２各々は入力Ｄに供給されている１ビットのデータをクロックに応答して出力Ｑから出力する。それらのＤフリップフロップ回路３２〜４２は加算器４４を挟んでリンク状に接続されている。すなわち、加算器４４はフリップフロップ回路３２と３３との間に接続され、フリップフロップ回路４２の出力Ｑは加算器４４とフリップフロップ回路３２の入力Ｄとに接続されている。加算器４４はフリップフロップ回路３２，４２各々の出力Ｑからのデータを加算してフリップフロップ回路３３の入力Ｄに供給する。Ｄフリップフロップ回路３５〜４２の出力Ｑから８ビットのリンキング領域用データが出力される。リンキング領域用データは情報データ片の疑似データである。
【００１１】
次に、かかる構成の本発明による原盤記録装置の動作を説明する。
記録されるべき情報データ及びアドレスデータに基づいてＥＣＣブロック化回路２１では９１バイトのデータ片を順次作成して出力する。
１ＥＣＣブロックはＤＶＤフォーマットでは図３に示すように、１６セクタからなる。各セクタは１３行×１８２バイトからなるデータ構造を有する。各行の９１バイト毎に１データ片をなすので、各行は２つのデータ片（９１バイト×２）を構成する。
【００１２】
そのデータ片は切替回路２４を介して変調器２５に供給され、８−１６変調が施された後、同期付加回路２６に供給される。同期付加回路２６は変調後の１８２バイト（１４５６ビット）のデータ片に１４Ｔの同期パターンを含む同期コード（３２ビット）を付加して記録信号とする。同期コードは８通りのコードＳＹ０〜ＳＹ７のいずれか１であり、セクタ内のデータ位置を識別可能にする識別データである。
【００１３】
図４は１セクタ分の記録信号のデータ構成を示している。変調後のデータ片の前に同期コード（ＳＹ０〜ＳＹ７）が位置し、１行には２組の同期コード及びデータ片が配置されている。
一方、乱数発生器２２においては、記録開始時に初期値がメモリ３１から１１個のＤフリップフロップ回路３２〜４２に対して出力される。Ｄフリップフロップ回路３２〜４２各々は初期値の対応するビットの値を出力する。Ｄフリップフロップ回路３５〜４２の出力値がリンキング領域用データとなる。その後はクロックが供給される毎に入力側に接続されたＤフリップフロップ回路又は加算器４４の出力値を読み取って８ビット（１バイト）のリンキング領域用データとして出力する。Ｄフリップフロップ回路３２〜４２のクロック端子Ｃにはクロックが例えば、リンキング領域毎に供給されてると共に加算器４４による加算動作によってリンキング領域用データはクロック毎に更新される。リンキング領域用データは上記のデータ片の疑似データであり、９１バイトとなる。１つのリンキング領域では９１×２バイトのリンキング領域用データが生成される。
【００１４】
切替回路２４は１ＥＣＣブロック分のデータ片をＥＣＣブロック化回路２１から中継した後にタイミング信号に応答して切替動作を行う。よって、切替回路２４は乱数発生器２２の出力データを変調器２５に中継する状態となる。乱数発生器２２からはリンキング領域用データが切替回路２４を介して変調器２５に供給され、８−１６変調が施された後、同期付加回路２６に供給される。同期付加回路２６は変調後の１８２バイト（１４５６ビット）のリンキング領域用データに１４Ｔの同期パターンを含むリンキング領域用の同期コード（３２ビット）を付加して記録信号とする。１行の１番目の同期コードはＳＹＸであり、２番目の同期コードはＳＹＹである。同期コードＳＹＸ及びＳＹＹは同期コードＳＹ０〜ＳＹ７とは異なるパターンを有し、リンキング領域を表すコードである。
【００１５】
リンキング領域は、ＥＣＣブロック（データブロック領域）間に形成される領域であり、図５に示すように、１ＥＣＣブロック（ｎ−１）と次の１ＥＣＣブロック（ｎ）との間に配置される２つのシンクフレームからなる。
記録信号発生回路１３から出力された記録信号は光変調器１４にてレーザ光を変調し、その変調後のレーザ光は記録アクチュエータ１５に供給される。記録アクチュエータ１５はスピンドルモータ１６によって回転された記録原盤１の記録部にレーザ光を照射して露光を行う。
【００１６】
光変調器１４は記録信号発生回路１３からの記録信号に応じてレーザ光を変調し、その変調したレーザ光を記録アクチュエータ１５に供給する。記録アクチュエータ１５はスピンドルモータ１６によって回転された記録原盤１の記録部にレーザ光を照射して露光を行う。
記録原盤１からマスタディスクを作成した後、そのマスタディスクのスタンパで複製製造されることによって光ディスクが得られる。
【００１７】
光ディスクのトラックには、例えば、図６に示すように、リンキング領域が形成される。また、トラックによっては図７に示すように隣接してリンキング領域が形成されることがある。しかしながら、上記したように乱数発生器２２から乱数値として発せられたリンキング領域用データが用いられるので、隣接トラックのリンキング領域のデータパターンは互いに異なる。例えば、図７に示すように、隣接する各リンキング領域のデータパターンは第１パターン、第２パターン及び第３パターンは互いに異なる。
【００１８】
光ディスクに記録された情報を正確に読み取るために読み取り用の光ビームを記録トラック上に制御するトラッキング制御が行われる。ＤＶＤ−ＲＯＭ等の高密度の光ディスクのトラッキング制御には位相差法が用いられている。位相差法では、４分割の光検出器の相対する受光部の受光信号の和信号の差に応じて光ビームの照射位置と記録トラックと誤差量を示すトラッキングエラー信号を生成することが行われる。位相差法の場合に、隣接トラックの相関性が強いとトラッキングエラー信号は隣接トラックからクロストーク成分を含んでしまうので、トラッキング制御が不安定になる。ところが、隣接トラック間においてリンキング領域の隣接部分がある場合には図７に示したように、そのリンキング領域のデータパターンが異なるので、隣接トラックの相関性を低くすることができる。よって、位相差法のトラッキング制御を用いても安定したトラッキング制御をなすことができる。
【００１９】
なお、乱数発生器２２は初期値としてそのときのアドレスデータ（隣接のデータ領域のアドレスを示すアドレスデータ）を用いても良い。すなわち、図１に波線で示すようにアドレスデータを乱数発生器２２に供給し、Ｄフリップフロップ回路３２〜４２各々は例えば、最初のリンキング領域になったときにプリセット入力からアドレスデータを入力してリンキング領域用データを生成するのである。また、メモリ３１に複数の初期値を用意しておき、アドレスデータに応じて複数の初期値のうちのいずれか１を選択しても良い。
【００２０】
アドレスデータを初期値として用いる場合には、乱数発生器２２においてそのアドレスデータを乱数のリンキング領域用データと共に記録するようにしても良い。例えば、図８に示すように、リンキング領域の２つのシンクフレームには同期コードＳＹＸ，ＳＹＹ、アドレスデータ及びリンキング領域用データがその順に配置される。初期値に対する乱数発生器２２の乱数発生パターンを予め分かっているならば、アドレスデータとリンキング領域用データとを読み出してアドレスデータとリンキング領域用データとの関係に基づいてリンキング領域用データを有用なデータとして用いることができる。
【００２１】
また、図９に示すように、乱数発生器２２とそれと同様の構成の乱数発生器２８とを直列に接続しても良い。
更に、リンキング領域用データを生成するための構成としては、図１０に示すように乱数発生器２２と、スクランブル回路２９と、メモリ３０とを用いても良い。スクランブル回路２９はＥＸ−ＯＲ回路からなる。メモリ３０にはスクランブル用の８ビットデータが予め書き込まれている。スクランブル回路２９では、リンキング領域毎に乱数発生器２２から生成されるリンキング領域用データとスクランブル用データとのＥＸ−ＯＲが採られ、それが最終的なリンキング領域用データとされる。
【００２２】
図１０のリンキング領域用データ生成部においても、図９に示した構成と同様に、乱数発生器２２と乱数発生器２８とを直列に接続しても良いことは勿論である。また、図１０に波線で示すようにアドレスデータを乱数発生器２２に供給し、記録開始時のアドレスデータを初期値として用いても良い。
図１１は記録信号発生回路１３の他の構成例を示している。図１１の記録信号発生回路１３においては、ＥＣＣブロック化回路２１、変調器２５、同期付加回路２６及び切替回路２４の順に接続され、切替回路２４が同期付加回路２６の後段に設けられている。リンキング領域用データの生成構成としては、乱数発生器２２と変調器２２ａとが設けられている。乱数発生器２２から出力されるリンキング領域用データは変調器２２ａによって８−１６変調が施された後、切替回路２４に供給される。切替回路２４はタイミング回路２３から出力されるタイミング信号に応じて同期付加回路２６の出力データと変調器２２ａの出力データとのいずれか一方のデータ信号を選択的に光変調器１４に供給する。よって、リンキング領域用データには同期コードは付加されず、ディスク１のトラック上においてＥＣＣブロック間に形成されるリンキング領域は同期コードを含まない疑似データであるところのリンキング領域用データのみとなる。
【００２３】
以上の如く、記録装置においては、リンキングデータ記録手段が、トラック間において隣接する疑似データの記録パターンを互いに異なるパターンで形成する。光学式記録媒体においては、トラック間において隣接するリンキング領域の疑似データの記録パターンが互いに異なる。よって、ＤＶＤ−ＲＯＭのような書き込みができない再生専用の光学式記録媒体とＤＶＤ−ＲＷ等の書き込み可能な光学式記録媒体との記録フォーマット上の互換性を持つことができる。これによって記録媒体プレーヤの構成を簡単にすることができる。
【図面の簡単な説明】
【図１】本発明を適用した記録装置の構成を示すブロック図である。
【図２】図１の装置中の乱数発生器の構成を示すブロック図である。
【図３】１ＥＣＣブロックのデータ構造を示す図である。
【図４】１セクタ分の記録信号のデータ構成を示す図である。
【図５】ＥＣＣブロック間のリンキング領域を示す図である。
【図６】各トラックのリンキング領域の位置を示す図である。
【図７】トラック間で隣接するリンキング領域の位置を示す図である。
【図８】ＥＣＣブロック間のアドレスデータを含むリンキング領域を示す図である。
【図９】本発明を適用した記録装置の他の構成を示すブロック図である。
【図１０】本発明を適用した記録装置の他の構成を示すブロック図である。
【図１１】本発明を適用した記録装置の他の構成を示すブロック図である。
【符号の説明】
１　記録原盤
１１　マスタクロック発生器
１２　ＰＬＬ回路
１３　記録信号発生回路
１４　光変調器
１５　記録アクチュエータ
１６　スピンドルモータ
１７　サーボコントローラ
１８　メインコントローラ
【図１】
2004134049.tif 000003
【図２】
2004134049.tif 000004
【図３】
2004134049.tif 000005
【図４】
2004134049.tif 000006
【図５】
2004134049.tif 000007
【図６】
2004134049.tif 000008
【図７】
2004134049.tif 000009
【図８】
2004134049.tif 000010
【図９】
2004134049.tif 000011
【図１０】
2004134049.tif 000012
【図１１】
2004134049.tif 000013